(57)【要約】【課題】ミシン手動駆動装置の構造を提供する。【解決手段】ミシンの手動駆動装置は、ミシンの主軸後端および該モーターと連動制御を受けている。本考案の手動駆動装置において、受動歯車は主軸後端と連動し、主動歯車は受動歯車と対応する。固定台をミシン主体の外部に設置し、手動制御ホイールは軸桿により外から内側に可動的に固定台を貫通することで、主動歯車を連動する。手動制御ホイールの軸桿が具有する内側に推進する作動位置を介し、主動歯車が受動歯車と噛合し、および軸桿が相対的に具有する外に退出する分離位置により、主動歯車が受動歯車と離脱する。それにより、手動駆動装置が確実にミシン主軸の離合制御をし、手動で縫い針の進退を調節しやすくなる。【選択図】  図1
0003146690.tif 000002
【実用新案登録請求の範囲】
【請求項１】
ミシンの主軸後端およびモーターと連動制御を受けるミシンの手動駆動装置であって、
受動歯車は主軸後端と連動し、主動歯車は受動歯車と対応し、
固定台をミシン主体の外部に設置し、手動制御ホイールは軸桿より外から内側に可動的に固定台を貫通することで、主動歯車を連動し、
手動制御ホイールの軸桿が具有する内側に推進する作動位置を介し、主動歯車が受動歯車と噛合し、および軸桿が相対的に具有する外に退出する分離位置により、主動歯車が受動歯車と離脱することを特徴とするミシンの手動駆動装置。
【請求項２】
前記主動歯車と受動歯車の軸心線が互いに交わるかさ車を設けることを特徴とする請求項1記載のミシン手動駆動装置。
【請求項３】
前記受動歯車と主動歯車が垂直に交わり、該固定台をミシン主体の後端に固定することで、主動歯車と受動歯車を収納することを特徴とする請求項2記載のミシン手動駆動装置。
【請求項４】
前記受動歯車は主軸の後端に固定し、該モーターを固定台の後端に固定し、該回転軸と主軸の間に二つの相対する爪輪および中間の弾性爪部品を組み合わせることで、互いの爪部が交差することを特徴とする請求項3記載のミシン手動駆動装置。
【請求項５】
前記固定台に外側壁を具有し、該手動制御ホイールの軸桿が横向きに外側壁を貫通し、主動歯車と組み立ててホイール軸を構成することを特徴とする請求項3記載のミシン手動駆動装置。
【請求項６】
前記固定台内に可動的に横向きホイール軸と、縦向き軸桿を設置する。該ホイール軸の一端に主動歯車を設置し、該軸桿の一端は固定台を貫通して手動制御ホイールを組み立て、
該ホイール軸と軸桿の別端に互いに噛合するかさ車を設けることを特徴とする請求項3記載のミシンの手動駆動装置。
【請求項７】
前記固定台に軸穴を含む軸台を固定設置することで、動向溝を含むホイール軸と軸桿を貫通し、
軸台内部に軸穴および動向溝と抵触する二つの相対するシートとスプリングを設置することを特徴とする請求項5あるいは請求項6記載のミシン手動駆動装置。
【請求項８】
前記固定台に軸穴を含む軸台を固定設置し、二つの隣接する動向溝のホイール軸と軸桿を貫通し、
該軸台に軸穴と相通じる動向ねじ穴を設け、順にスチールボール、スプリングおよび調整ねじ栓を入れることで、スプリングがスチールボールを押し、スチールボールの局部が軸桿の一つの動向溝と抵触することを特徴とする請求項5あるいは請求項6記載のミシン手動駆動装置。
【請求項９】
前記ホイール軸と軸桿にスプリングおよび固定リングを設置することで、弾力で外側に推して位置を移動することを特徴とする請求項5あるいは請求項6記載のミシン手動駆動装置。
【考案の詳細な説明】
【技術分野】
【０００１】
本考案はミシン手動駆動装置の構造に関し、特にミシン主軸の離合を制御するための手動駆動の改良装置に関する。
【背景技術】
【０００２】
ミシン駆動装置の主な構成部品は、作業台或いは台座の外部に動力(モーターなど)を設け、該動力源は連接部品を経由し、動力をヘッド及びアームによって組成する機体に伝える。
【０００３】
従来技術のミシン駆動装置の主な部品構造の中に、作業台の表面にヘッド及びアームによって組成する機体を設け、一つの台座にモーターを設置し、該モーターと機体の相対する位置にそれぞれプーリーを設け、ベルトで連動を行う。従来技術のミシンと関連する駆動装置は、モーター側に必ず縫い針の進退を調節する手動制御ホイールを設けている。
【０００４】
従来技術の作業台表面に固定設置する台座の形状及びサイズは、往々にして作業物を置く作業テーブルの作業エリアに影響を来たす。よって、従来構造では、上述のモーター及び台座をそれぞれ作業台の上下に設置することで、作業エリアを占領しないようにした。前述の縫い針の進退を微調整する手動制御ホイールまでも作業台の下にする構造であるため、操作が不便である。
【０００５】
また、従来のミシンは動力駆動装置として、ヘッド主軸端に直接モーター及び、二組のプーリー及び、プーリーによって連動する台座にある手動制御ホイールを設置する。
【０００６】
従来技術の駆動装置とミシンは、如何なる組合せ接続構造を採用しても、手動制御ホイールと相対する動力構造は、直接接続する構造が多い。同時に高速回転をするため、作業時にアクシデントを起こしやすく、作業する方が怪我をしやすい。それにより手動制御ホイール及び動力構造の間に離合機構を増設する構造を案出しているが、手動制御ホイールと離合機構の設置位置および使用操作が不便であり、素早く確実に離合することができず、振動及び騒音が大きいため、更なる改善が必要であった。
【特許文献１】特開２００３−２３６２８３号公報
【考案の開示】
【考案が解決しようとする課題】
【０００７】
前記従来構造の欠点を解決するため、本考案は確実にミシンの主軸駆動を接合することで、手動で縫い針の進退を調整すると同時に、自動的に完全にミシン主軸および動力装置から離脱することで、作業の安全性を高めるとともに、振動及び騒音を無くし、使用が便利かつ耐久性のあるミシンの手動駆動装置を提供することを主な課題とする。
【課題を解決するための手段】
【０００８】
前記課題を解決するために、本考案のミシン手動駆動装置は以下の特徴を有する。
受動歯車を主軸の後端と連動する。主動歯車は受動歯車と対応する。固定台をミシン主体の外部に設置する。手動制御ホイールは軸桿より外から内側に可動的に固定台に設置することで、主動歯車を連動する。手動制御ホイールの軸桿が具有する内側に推進する作動位置を介し、主動歯車が受動歯車を噛み、および軸桿が相対的に具有する外に退出する分離位置により、主動歯車が受動歯車と離脱する。
【０００９】
可能実施例では、該主動歯車と受動歯車を軸心線が互いに交わるかさ車に設ける。また、該受動歯車を主軸の後端に固定設置することで、主動歯車と垂直に交わる。さらに、該固定台をミシン主体の後端に固定設置することで、主動歯車と受動歯車を収納する。
【００１０】
最良実施例では、該固定台に外側壁を具有し、該手動制御ホイールの軸桿が横から外側壁に貫通することで、主動歯車を接続し、ホイール軸を構成する。
【００１１】
最良実施例では、該固定台内に横向きホイール軸および縦向き軸桿を可動設置し、該ホイール軸の一端を主動歯車に固定設置し、該軸桿の一端を前方向に固定台を貫通して手動制御ホイールを組み立てる。該ホイール軸と軸桿の別端に、互いと噛み合うかさ車を設ける。
【００１２】
上述の固定台に軸穴を含む軸台を固定設置することで、動向溝を含むホイール軸と軸桿を貫通する。該軸台内部に軸穴および動向溝と抵触する二つの相対するシートとスプリングを設置する。
【００１３】
上述の固定台に軸穴を含む軸台を固定設置することで、二つの隣接する動向溝を含むホイール軸と軸桿を貫通する。該軸台に軸穴と相通じる動向ねじ穴を設け、順にスチールボール、スプリングおよび調整ねじ栓を入れることで、スプリングがスチールボールを押し、スチールボールの局部が一つの動向溝と抵触する。
【考案の効果】
【００１４】
本考案の手動駆動装置は、確実に駆動ミシン主軸と接続することで、手動で縫い針の進退を調整できると同時に、自動的に完全にミシン主軸および動力装置から離脱するため、作業の安全性がアップし、振動騒音を無くし、便利な使用かつ耐久性がある。
【考案を実施するための最良の形態】
【００１５】
図1に示すように、本考案ミシン10主体11の後端を台座20のトップにある接座21に接続し、ねじ栓23で定置付けする。台座20の底端はねじ栓24で機台22に固定することで、該トップにある接座21が空に延伸し、機台22表面にあるミシン作業空間を占領しない。
【００１６】
本考案の手動駆動装置は、ミシン10の主軸12後端および該動力装置モーター30の制御を受けて連動する。図1〜図4に示す最良実施例で、該手動駆動装置に含まれるのは：受動歯車13は主軸12の後端と連動し、固定ねじ19で定置付けする。主動歯車53は受動歯車13に向くことで、互いの軸心線を垂直に交わる。固定台40をミシン10主体11の外部に設置する。手動制御ホイール50は外から内側に可動的に固定台40に挿入し、主動歯車53を連動する。手動制御ホイール50の軸桿51が内側に推進する作動位置を具有することで、主動歯車53は図6に示すように、受動歯車13と噛み、更に手動制御ホイール50で軸桿51、主動歯車53、受動歯車13および主軸12を回転し、手動で縫い針の進退を調整する。また、手動制御ホイール50の軸桿51は外に向かって退出する分離位置を具有することで、主動歯車53が図2に示すように、受動歯車13から離脱するため、モーター30が主軸12を駆動して回転する際、主動歯車53を連動することを避け、噛合による振動騒音を無くし、作業の安全性を高める。
【００１７】
図1〜図4に示すように、固定台40をミシン10の主体11の後端に固定し、主動歯車53と受動歯車13を収納する。モーター30の座体31はねじ栓33を固定穴38に通して固定台40の後端に固定し、回転軸32と主軸12の間に二つの相対する爪輪14、34およびその中間に弾性爪部品36を設置する。爪輪14はねじ18で固定穴17を通して受動歯車13のねじ穴16に螺合し、回転軸32は固定ねじ39をねじ穴391と螺合することで、爪輪34を固定し、爪部15、35、37が交互に嵌合連動し、伝動騒音を無くす。同時に図に示すように、手動駆動装置の固定台40は外側壁41を具有し、手動制御ホイール50の軸桿51が横向きに外側壁41に貫通することで、主動歯車53を組立て、該ホイール軸52を構成すると同時に、固定ねじ59で位置づけするため、ユーザーが便利に手に手動制御ホイール50を回転することができる。
【００１８】
図1、図2および図5に示すように、手動駆動装置50は、固定台40の外側壁41に、ねじ63で軸穴62を含む軸台60を固定し、動向溝54のホイール軸52と軸桿51を貫通する。軸台60内部に軸穴62および動向溝54と抵触する二つの相対するシート64とスプリング65を設置し、シート64は弾性力で軸桿51を押すことで、分離位置を保持する。手動で駆動操作する際、図6および図7に示すように、手動制御ホイール50の軸桿51を作動位置にまで内側に向けて押すことで、主動歯車53が受動歯車13と噛合する。更に手動制御ホイール50で軸桿51、主動歯車53、受動歯車13および主軸12を回転し、手動で縫い針の進退を調整する。モーター30が再度起動する際、主動歯車53は受動歯車13の遠心力を受けて、自動的に外側向けに押されるため、図2および図5の状態に戻る。
【００１９】
図8および図9に示す手動駆動装置のように、同様に固定台40に軸穴62を含む軸台61を固定設置し、二つの隣接する動向溝55、56のホイール軸52と軸桿51を貫通する。該軸台61に軸穴62と相通じる動向ねじ穴66を設け、順にスチールボール67、スプリング68および調整ねじ栓69を入れることで、スプリング68がスチールボール67を押し、スチールボール67の局部が軸桿51の一つの動向溝56と抵触し(図8を参照)、弾力で作動位置を保持する。軸桿51は図9に示すように、外側に退出する際、スチールボール67が別の動向溝55を抵触し、分離位置を保持する。
【００２０】
図10および図11に示す最良実施例では、手動駆動装置を固定台40の内部板43に可動的に横向きホイール軸52と、縦向き軸桿51を設置する。該ホイール軸52の一端に主動歯車53を設置し、該軸桿51の一端は固定台40と相対する前端壁42を貫通して手動制御ホイール50を組み立てる。同時に該ホイール軸52と軸桿51の別端に互いに噛合するかさ車511、521を設けることで、連動進退機構を形成し、図10に示すように、簡単に手動で推進伝動をすることができる。また、手動駆動装置は更にホイール軸52と軸桿51にスプリング57および固定リング58を設置することで、弾力で外向きに分離位置にまで移動する。
【００２１】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００２２】
【図１】本考案のベスト実施例のミシン手動駆動装置の応用状態立体図である。
【図２】図1の手動駆動装置退出状態の断面拡大図である。
【図３】図2の一部部品の組み立て図である。
【図４】図2の主要部品の立体分解図である。
【図５】図2の軸台断面図である。
【図６】図2の手動推進伝動状態図である。
【図７】図6の軸台分解図である。
【図８】図7の別種の軸台と軸桿を内側に押し入れた状態図である。
【図９】図8の軸桿退出状態図である。
【図１０】本考案の第二実施例の手動推進伝動状態図である。
【図１１】図10の退出状態図である。
【符号の説明】
【００２３】
10 ミシン
11 主体
12 主軸
13 受動歯車
14 爪輪
15 爪部
16 ねじ穴
17 固定穴
18 ねじ栓
19 固定ねじ
20 台座
21 接台
22 機台
23 ねじ栓
24 ねじ栓
30 モーター
31 座体
32 回転軸
33 ねじ栓
34 爪輪
35 爪部
36 爪部品
37 爪部
38 固定穴
39 固定ねじ
391 ねじ穴
40 固定台
41 外側壁
42 前端壁
43 内部板
50 手動ホイール
51 軸桿
52 ホイール軸
53 主動歯車
54 動向溝
55 動向溝
56 動向溝
57 スプリング
58 固定ストッパーリング
59 固定ねじ
511 かさ車
512 かさ車
60 軸台
61 軸台
62 軸穴
63 ねじ栓
64 シート
65 スプリング
66 動向ねじ穴
67 スチールボール
68 スプリング
69 調整ねじ栓
【図１】
0003146690.tif 000003
【図２】
0003146690.tif 000004
【図３】
0003146690.tif 000005
【図４】
0003146690.tif 000006
【図５】
0003146690.tif 000007
【図６】
0003146690.tif 000008
【図７】
0003146690.tif 000009
【図８】
0003146690.tif 000010
【図９】
0003146690.tif 000011
【図１０】
0003146690.tif 000012
【図１１】
0003146690.tif 000013
【手続補正書】
【提出日】平成20年9月19日(2008.9.19)
【手続補正１】
【補正対象書類名】実用新案登録請求の範囲
【補正対象項目名】請求項６
【補正方法】変更
【補正の内容】
【請求項６】
前記固定台内に可動的に横向きホイール軸と、縦向き軸桿を設置し、
該ホイール軸の一端に主動歯車を設置し、該軸桿の一端は固定台を貫通して手動制御ホイールを組み立て、
該ホイール軸と軸桿の別端に互いに噛合するかさ車を設けることを特徴とする請求項3記載のミシンの手動駆動装置。